(57)【要約】【課題】放送電波受信不良に起因する記録不良箇所が存在しないコンテンツを記録すること。【解決手段】放送受信部１２により繰り返し放送されるコンテンツを受信し、上記コンテンツを記憶部１３に記録する際、アプリ制御部１７により記憶部１３に記録されたコンテンツの記録不良箇所を判定し、その記録不良箇所を後続する同一のコンテンツにおける対応部分を用いて補間する。例えば、アプリ制御部１７は、記録不良箇所の開始時間及び終了時間を特定して後続する同一のコンテンツの一部を記録すると共に、当該コンテンツの一部を用いてコンテンツを補間する。【選択図】図２
2009200898.tif 000002
【特許請求の範囲】
【請求項１】
繰り返し放送されるコンテンツを受信する放送受信部と、前記コンテンツを記録媒体に記録する記録部と、前記記録媒体に記録された前記コンテンツにおける記録不良箇所を判定する判定部と、前記記録不良箇所を後続する同一のコンテンツにおける対応部分を用いて補間する補間部と、を具備することを特徴とする放送受信装置。
【請求項２】
前記記録部は、前記コンテンツを記録する際に当該コンテンツにおける前記記録不良箇所の開始時点及び終了時点を記録する一方、後続する同一のコンテンツにおける前記開始時点及び終了時点間の対応部分を記録し、前記補間部は、前記開始時点及び終了時点間の対応部分を用いて前記記録不良箇所を補間することを特徴とする請求項１記載の放送受信装置。
【請求項３】
前記補間部は、前記記録不良箇所の補間を所定回数だけ繰り返すことを特徴とする請求項１又は請求項２記載の放送受信装置。
【請求項４】
前記補間部は、前記記録不良箇所の補間が必要である回数だけ当該記録不良箇所の補間を繰り返すことを特徴とする請求項１又は請求項２記載の放送受信装置。
【請求項５】
予め定めた設定条件下で自動的に前記コンテンツを前記記録部により記録させる自動記録管理部を更に具備し、前記自動記録管理部は、前記補間部における前記記録不良箇所の補間が終了した場合に前記記録部の記録を停止させることを特徴とする請求項１から請求項４のいずれかに記載の放送受信装置。
【請求項６】
携帯端末装置であることを特徴とする請求項１から請求項５のいずれかに記載の放送受信装置。
【請求項７】
繰り返し放送されるコンテンツを受信するステップと、前記コンテンツを記録媒体に記録するステップと、前記記録媒体に記録された前記コンテンツにおける記録不良箇所を判定するステップと、前記記録不良箇所を後続する同一のコンテンツにおける対応部分を用いて補間するステップと、を具備することを特徴とする放送記録方法。
【請求項８】
前記コンテンツを記録する際に当該コンテンツにおける前記記録不良箇所の開始時点及び終了時点を記録する一方、後続する同一のコンテンツにおける前記開始時点及び終了時点間の対応部分を記録し、前記開始時点及び終了時点間の対応部分を用いて前記記録不良箇所を補間することを特徴とする請求項７記載の放送記録方法。
【請求項９】
前記記録不良箇所の補間を所定回数だけ繰り返すことを特徴とする請求項７又は請求項８記載の放送記録方法。
【請求項１０】
前記記録不良箇所の補間が必要である回数だけ当該記録不良箇所の補間を繰り返すことを特徴とする請求項７又は請求項８記載の放送記録方法。
【請求項１１】
予め定めた設定条件下で自動的に前記コンテンツの記録を開始するステップと、補間部における前記記録不良箇所の補間が終了した場合に前記コンテンツの記録を停止するステップとを更に具備することを特徴とする請求項７から請求項１０のいずれかに記載の放送記録方法。
【発明の詳細な説明】
【技術分野】
【０００１】
本発明は、放送受信装置及び放送記録方法に関し、特に、繰り返し放送されるコンテンツを記録可能な放送受信装置及び放送記録方法に関する。
【背景技術】
【０００２】
従来、録画中の放送電波受信不良で録画内容に受信不良部分の影響なく全番組内容を視聴する放送受信装置が提案されている（例えば、特許文献１参照）。この放送受信装置においては、録画を行った番組の受信中に受信不良が発生した場合に、受信不良の発生を自動的に検出し、受信不良発生の時間や受信不良の影響を受けた番組内容を示す受信不良個所情報を作成する。そして、作成した受信不良個所情報をネットワーク経由でサーバに送信し、受信不良部分を復旧する復旧情報を取得することで、録画中の放送電波受信不良で録画内容に受信不良部分の影響なく全番組内容を視聴可能とするものである。
【特許文献１】特開２００４−２７４５６１号公報
【発明の開示】
【発明が解決しようとする課題】
【０００３】
しかしながら、上述したような放送受信装置においては、受信不良部分を復旧する復旧情報をサーバから取得する必要があることから、このような復旧情報を送信するサーバが存在しない環境においては、録画中の放送電波受信不良で録画内容に受信不良部分の影響なく全番組内容を視聴することは困難である。
【０００４】
ところで、従来、放送局から放送受信装置に対して、コンテンツを繰り返し放送することが行われている。例えば、１０曲の楽曲の映像コンテンツを繰り返し放送する場合においては、１曲目の楽曲の映像コンテンツが放送され、１０曲目の楽曲の映像コンテンツの放送が終わると、再び１曲目の楽曲の映像コンテンツが放送される。このようにコンテンツが繰り返し放送される場合においても、放送電波受信不良により記録内容に記録不良箇所が発生し得る。
【０００５】
本発明はかかる点に鑑みてなされたものであり、放送電波受信不良に起因する記録不良箇所が存在しないコンテンツを記録することができる放送受信装置及び放送記録方法を提供することを目的とする。
【課題を解決するための手段】
【０００６】
本発明の放送受信装置は、繰り返し放送されるコンテンツを受信する放送受信部と、前記コンテンツを記録媒体に記録する記録部と、前記記録媒体に記録された前記コンテンツにおける記録不良箇所を判定する判定部と、前記記録不良箇所を後続する同一のコンテンツにおける対応部分を用いて補間する補間部と、を具備することを特徴とする。
【０００７】
上記構成によれば、繰り返し放送されるコンテンツを記録媒体に記録する際、記録媒体に記録されたコンテンツの記録不良箇所を判定し、記録不良箇所を後続する同一のコンテンツにおける対応部分を用いて補間することから、記録媒体に記録されたコンテンツの記録不良箇所が、当該記録不良箇所に対応するコンテンツの一部で補間されるので、放送電波受信不良に起因する記録不良箇所が存在しないコンテンツを記録することが可能となる。
【０００８】
上記放送受信装置において、前記記録部は、前記コンテンツを記録する際に当該コンテンツにおける前記記録不良箇所の開始時点及び終了時点を記録する一方、後続する同一のコンテンツにおける前記開始時点及び終了時点間の対応部分を記録し、前記補間部は、前記開始時点及び終了時点間の対応部分を用いて前記記録不良箇所を補間することが好ましい。この場合には、記録不良箇所の開始時点及び終了時点を特定して後続する同一のコンテンツの一部が記録されると共に、当該コンテンツの一部を用いて補間が行われるので、記録媒体に記録されたコンテンツの記録不良箇所を確実に補間することが可能となる。
【０００９】
例えば、上記放送受信装置において、前記補間部は、前記記録不良箇所の補間を所定回数だけ繰り返すことが考えられる。この場合には、コンテンツの補間の終了等を判定する特別な処理を必要とすることなく、簡単な制御で記録媒体に記録されたコンテンツの記録不良箇所を補間することが可能となる。
【００１０】
なお、上記放送受信装置において、前記補間部は、前記記録不良箇所の補間が必要である回数だけ当該記録不良箇所の補間を繰り返すようにしても良い。この場合には、記録不良箇所の補間に必要な回数だけ当該記録不良箇所の補間が行われるので、コンテンツの記録処理に要する時間及び電力を低減することが可能となる。
【００１１】
また、上記放送受信装置においては、予め定めた設定条件下で自動的に前記コンテンツを前記記録部により記録させる自動記録管理部を更に具備し、前記自動記録管理部は、前記補間部における前記記録不良箇所の補間が終了した場合に前記記録部の記録を停止させることが好ましい。この場合には、補間部における前記記録不良箇所の補間が終了した時点で記録部による記録を停止することができるので、記録部による記録が無制限に継続することを防止でき、放送受信装置における無用な電源の消耗を防止することが可能となる。
【００１２】
さらに、上記放送受信装置は、携帯端末装置に適用することが好ましい。このように、放送電波の受信状態が使用者の位置に応じて変動する携帯端末装置に適用することにより、放送電波の受信状態が良好でない場合においても、記録媒体に記録されたコンテンツの記録不良箇所が、当該記録不良箇所に対応するコンテンツの一部で補間されるので、放送電波受信不良に起因する記録不良箇所が存在しないコンテンツを記録することが可能となる。
【００１３】
本発明の放送記録方法は、繰り返し放送されるコンテンツを受信するステップと、前記コンテンツを記録媒体に記録するステップと、前記記録媒体に記録された前記コンテンツにおける記録不良箇所を判定するステップと、前記記録不良箇所を後続する同一のコンテンツにおける対応部分を用いて補間するステップと、を具備することを特徴とする。
【００１４】
上記方法によれば、繰り返し放送されるコンテンツを記録媒体に記録する際、記録媒体に記録されたコンテンツの記録不良箇所を判定し、記録不良箇所を後続する同一のコンテンツにおける対応部分を用いて補間することから、記録媒体に記録されたコンテンツの記録不良箇所が、当該記録不良箇所に対応するコンテンツの一部で補間されるので、放送電波受信不良に起因する記録不良箇所が存在しないコンテンツを記録することが可能となる。
【００１５】
上記放送記録方法においては、前記コンテンツを記録する際に当該コンテンツにおける前記記録不良箇所の開始時点及び終了時点を記録する一方、後続する同一のコンテンツにおける前記開始時点及び終了時点間の対応部分を記録し、前記開始時点及び終了時点間の対応部分を用いて前記記録不良箇所を補間することが好ましい。この場合には、記録不良箇所の開始時点及び終了時点を特定して後続する同一のコンテンツの一部が記録されると共に、当該コンテンツの一部を用いて補間が行われるので、記録媒体に記録されたコンテンツの記録不良箇所を確実に補間することが可能となる。
【００１６】
例えば、上記放送記録方法においては、前記記録不良箇所の補間を所定回数だけ繰り返すことが考えられる。この場合には、コンテンツの補間の終了等を判定する特別な処理を必要とすることなく、簡単な制御で記録媒体に記録されたコンテンツの記録不良箇所を補間することが可能となる。
【００１７】
なお、上記放送記録方法においては、前記記録不良箇所の補間が必要である回数だけ当該記録不良箇所の補間を繰り返すようにしても良い。この場合には、記録不良箇所の補間に必要な回数だけ当該記録不良箇所の補間が行われるので、コンテンツの記録処理に要する時間及び電力を低減することが可能となる。
【００１８】
また、上記放送記録方法において、予め定めた設定条件下で自動的に前記コンテンツの記録を開始するステップと、補間部における前記記録不良箇所の補間が終了した場合に前記コンテンツの記録を停止するステップとを更に具備することが好ましい。この場合には、補間部における前記記録不良箇所の補間が終了した時点で記録部による記録を停止することができるので、記録部による記録が無制限に継続することを防止でき、放送受信装置における無用な電源の消耗を防止することが可能となる。
【発明の効果】
【００１９】
本発明によれば、繰り返し放送されるコンテンツを記録媒体に記録する際、記録媒体に記録されたコンテンツの記録不良箇所を判定し、記録不良箇所を後続する同一のコンテンツにおける対応部分を用いて補間することから、記録媒体に記録されたコンテンツの記録不良箇所が、当該記録不良箇所に対応するコンテンツの一部で補間されるので、放送電波受信不良に起因する記録不良箇所が存在しないコンテンツを記録することが可能となる。
【発明を実施するための最良の形態】
【００２０】
以下、本発明の実施の形態について添付図面を参照して詳細に説明する。
図１は、本発明の一実施の形態に係る放送受信装置１が適用される放送システムの構成例を説明するための図である。図１に示すように、本実施の形態に係る放送受信装置１は、放送局２からの放送を受信し、それを記録すると共に再生することができるように構成されている。例えば、放送受信装置１は、通信機能を有すると共に放送受信機能を有する携帯電話装置などの端末装置で構成される。なお、放送受信装置１については、携帯電話装置に限定されるものではなく、上記機能を有する任意の端末装置で構成することが可能である。
【００２１】
なお、放送局２からの放送には、例えば、図１に示すような衛星（放送衛星や通信衛星）３を利用して行われる衛星放送（ＢＳ放送、ＣＳ放送及びモバイル放送）や、図１に示すような地上に建設された電波塔４を利用して行われる地上波放送が含まれる。なお、放送局２からの放送については、これに限定されるものではなく、有線ネットワークを利用して行われる有線放送やデジタルラジオ放送なども含まれる。特に、本実施の形態に係る放送局２においては、放送受信装置１に対してコンテンツを繰り返し放送するものとする。
【００２２】
ここで、コンテンツを繰り返し放送するとは、コンテンツ（コンテンツが複数存在する場合を含む）をループさせて継続的に繰り返し放送する場合が該当する。また、コンテンツを一定時間間隔（例えば、２時間間隔）で繰り返し放送する場合を含むものとする。すなわち、時間的な経過の大小を問わず、コンテンツを複数回繰り返し放送する場合をいうものとする。特に、以下においては、コンテンツをループさせて継続的に繰り返し放送する場合を用いて本実施の形態に係る放送受信装置１について説明する。
【００２３】
図２は、本実施の形態に係る放送受信装置１の構成を説明するためのブロック図である。なお、図２に示す構成は、本発明を説明するために簡略化したものであり、通常の放送受信装置に搭載される構成要素は備えているものとする。放送受信装置１は、図２に示すように、装置全体を制御する制御部１１と、この制御部１１に接続された放送受信部１２、記憶部１３、操作部１４、音声出力部１５、表示部１６及びアプリ制御部１７とを含んで構成されている。
【００２４】
放送受信部１２は、放送局２からの放送をアンテナ１８を介して受信する。記憶部１３は、例えば、磁気ディスクなどの記録媒体で構成され、放送受信部１２により受信した放送に含まれるコンテンツ、各コンテンツを識別するための識別情報（以下、適宜「コンテンツＩＤ」という）、並びに、コンテンツを記録した際に不良が発生した箇所（以下、「記録不良箇所」という）を特定する情報などを記憶する。なお、記憶部１３において、記録不良箇所は、上記コンテンツＩＤを用いたテーブル管理される。この管理テーブルについては後述する。また、記憶部１３に対するコンテンツ等の記録は、アプリ制御部１７により実行されるコンテンツ記録アプリケーションプログラムにより処理される。このコンテンツ記録アプリケーションプログラムについては後述する。
【００２５】
操作部１４は、放送に含まれるコンテンツの記録指示や、記憶部１３に記録されているコンテンツの再生指示、或いは、コンテンツ記録アプリケーションの起動指示や起動に必要な設定条件の入力等を受け付ける。音声出力部１５は、再生したコンテンツに対応する音声データを出力する。表示部１６は、再生したコンテンツに対応する映像データや、コンテンツを決定するための操作入力画面等を表示する。
【００２６】
アプリ制御部１７は、放送受信装置１に搭載され、或いは、不図示の通信部を介してダウンロードされた種々のアプリケーションを起動する。例えば、アプリ制御部１７は、制御部１１の指示に応じてアプリケーション言語（例えば、Ｊａｖａ（登録商標）言語）で作成されたアプリケーションプログラムを実行する。特に、アプリ制御部１７は、放送局２からの放送に含まれるコンテンツを記録するためのコンテンツ記録アプリケーションプログラム（以下、適宜「記録アプリ」という）を実行する。
【００２７】
図３は、本実施の形態に係る放送受信装置１に対する放送局２からの放送に含まれるコンテンツの一例を示す図である。図３においては、コンテンツＡ〜Ｔをループさせて継続的に繰り返し放送する場合について示している。例えば、コンテンツＡ〜Ｔを１セットとした番組が継続的に繰り返し放送される場合が該当する。この場合には、コンテンツＴが放送された後、即時に次のセットのコンテンツＡが放送される。このような放送を受信した放送受信装置１においては、コンテンツＡ〜Ｔを繰り返し再生することが可能となる。
【００２８】
図４は、本実施の形態に係る放送局２から放送される各コンテンツの構成について説明するための模式図である。図４（ａ）に示すように、放送局２から放送される各コンテンツには、当該コンテンツを識別するための識別情報（コンテンツＩＤ）が付与されている。図３に示すコンテンツＡ〜Ｔには、例えば、それぞれコンテンツＩＤとして「１０１−００００１」〜「１０１−０００２０」が付与される。なお、コンテンツＩＤの態様については、これに限定されるものではなく任意の態様を採用することが可能である。
【００２９】
また、放送局２から放送されるコンテンツとしては、楽曲に対応するものや、広告に対応するもの、或いは、連続性を有するドラマに対応するものなど任意のコンテンツが考えられる。なお、図４（ｂ）においては、放送局２からの放送に含まれるコンテンツが、楽曲に対応するコンテンツＡ〜Ｔ（楽曲Ａ〜Ｔ）で構成される場合について示している。これらのコンテンツＡ〜Ｔに、上述したコンテンツＩＤ「１０１−００００１」〜「１０１−０００２０」がそれぞれ付与されている。
【００３０】
本実施の形態に係る放送受信装置１においては、このように放送局２から繰り返し放送されるコンテンツを記憶部１３に記録していくと共に、記憶部１３に記録されたコンテンツにおける放送電波受信不良に起因する記録不良箇所を特定し、当該記録不良箇所を後続する同一のコンテンツにおける対応部分を用いて補間する。これにより、放送電波受信不良に起因する記録不良部分の影響を受けることなくコンテンツを記録するものである。
【００３１】
図５は、本実施の形態に係る放送局２から繰り返し放送されるコンテンツの状態を説明するための模式図である。図５においては、図３及び図４に示すように、放送局２からコンテンツＡ〜Ｔが繰り返し放送されている場合について示している。また、図５においては、Ｎ回（Ｎは正の整数）繰り返し放送されるコンテンツＡ〜Ｔを示すと共に（３回目〜（Ｎ−１）回目は省略）、これらのコンテンツから補間された補間後のコンテンツを示している。なお、図５に示すコンテンツＡ〜Ｔにおける網掛け部分は、放送電波受信不良が発生した部分を表している。このように放送電波受信不良が発生したコンテンツを記憶部１３に記録した場合、対応箇所に記録不良箇所が発生することとなる。
【００３２】
図５に示すように、コンテンツＡにおいては、１回目の放送受信時において後半部分に放送電波受信不良が発生し、２回目の放送受信時において中央部分に放送電波受信不良が発生し、Ｎ回目の放送受信時においては放送受信不良が発生していないことが分かる。同様に、コンテンツＢにおいては、１回目及び２回目の放送受信時においていずれも放送電波受信不良が発生しておらず、Ｎ回目の放送受信時において中央部分に放送電波受信不良が発生していることが分かる。また、コンテンツＣにおいては、１回目の放送受信時において中央部分に放送電波受信不良が発生し、２回目の放送受信時において前半部分に放送電波受信不良が発生し、Ｎ回目の放送受信時においては放送受信不良が発生していないことが分かる。
【００３３】
本実施の形態に係る放送受信装置１においては、このように放送局２から放送された１回目のコンテンツＡ〜Ｔを記憶部１３に記録すると共に、これらを記録する際に放送電波受信不良に起因して発生した記録不良箇所を記録する。そして、各コンテンツＡ〜Ｔにおける記録不良箇所を、後続する２回目以降の同一のコンテンツＡ〜Ｔにおける対応部分を用いて補間する。
【００３４】
例えば、図５に示すコンテンツＡにおいては、１回目の放送受信時に後半部分の放送電波受信不良に起因する記録不良箇所を、２回目の放送受信時における対応部分で補間する。なお、図５に示すコンテンツＢに示すように、１回目の放送受信時に放送電波受信不良に起因する記録不良箇所が存在しない場合には、コンテンツの補間は行われない。このようなコンテンツの補間を、記録不良箇所を有する各コンテンツについて行うことにより、図５に示すような記録不良箇所を有しない補間後のコンテンツＡ〜Ｔを取得することが可能となる。
【００３５】
ここで、放送受信装置１において記録したコンテンツの記録不良箇所を管理するテーブル（以下、「記録不良箇所テーブル」という）について説明する。記録不良箇所テーブルにおいては、放送受信部１２で受信し、アプリ制御部１７の制御の下、記憶部１３に記録されたコンテンツにおける記録不良箇所が管理される。記録不良箇所の原因は主に放送電波受信不良に起因するが、これ以外の原因でも構わない。図６は、本実施の形態に係る放送受信装置１の記憶部１３で管理される記録不良箇所テーブルの一例を示す図である。
【００３６】
図６に示すように、記録不良箇所テーブルにおいては、記憶部１３に記録したコンテンツのコンテンツＩＤ６１と、記録不良箇所を特定する情報（以下、「記録不良箇所特定情報」という）６２と、補間処理の要否情報（以下、「補間処理要否情報」という）６３とが管理されている。また、記録不良箇所特定情報６２には、記録対象とされるコンテンツの記録回数と、記録不良箇所の開始時間（以下、適宜「不良開始時間」という）と、記録不良箇所の終了時間（以下、適宜「不良終了時間」という）とが含まれている。
【００３７】
なお、１回目の放送受信時における記録不良箇所特定情報６２においては、各コンテンツにおける記録不良箇所が記録される。例えば、コンテンツＡに対応するコンテンツＩＤ「１０１−００００１」においては、記録不良箇所が、不良開始時間「４：４５」と、不良終了時間「４：５５」とにより特定されている。すなわち、コンテンツＡにおいては、コンテンツＡの開始時点から４分４５秒から４分５５秒の間に記録不良箇所が発生していることを示している。
【００３８】
また、２回目以降の放送受信時における記録不良箇所特定情報６２においては、各回で受信したコンテンツにより補間された後に残存している記録不良箇所が記録される。例えば、コンテンツＡに対応するコンテンツＩＤ「１０１−００００１」においては、上述のように１回目の記録不良箇所が、２回目の放送受信時のコンテンツにおける対応部分により補間され、記録不良箇所が存在しないことを示している。
【００３９】
これに対し、コンテンツＣに対応するコンテンツＩＤ「１０１−００００３」においては、上述のように１回目の放送受信時における記録不良箇所（３分１０秒から３分３１秒）が、２回目の放送受信時のコンテンツにおける対応部分により補間された後も、記録不良箇所（３分１５秒から３分１８秒）が残存していることを示している。これは、２回目の放送受信時におけるコンテンツにおいても、３分１５秒から３分１８秒の間に記録不良箇所が発生したことに起因するものである。
【００４０】
補間処理要否情報６３には、記録不良箇所の残存状態に応じた補間処理の要否が記録される。例えば、コンテンツＡに対応するコンテンツＩＤ「１０１−００００１」においては、上述したように、２回目の放送受信時におけるコンテンツの補間によりその後の補間処理を行う必要がなくなっているので、２回目の記録回数に対応する欄に「不要」と記録される。一方、ンテンツＣに対応するコンテンツＩＤ「１０１−００００３」においては、上述したように、２回目の放送受信時のコンテンツにおける対応部分により補間された後も、更に補間処理を行う必要があるので、２回目の記録回数に対応する欄に「要」と記録される。
【００４１】
次に、上記構成を有する放送受信装置１におけるコンテンツの記録処理について説明する。放送受信装置１におけるコンテンツの記録は、上述のように、アプリ制御部１７が記録アプリを実行することにより制御される。具体的には、アプリ制御部１７は、図７及び図８に示すフローに従ってコンテンツの記録処理を制御する。図７及び図８は、本実施の形態に係る放送受信装置１におけるコンテンツの記録処理について説明するためのフロー図である。
【００４２】
コンテンツの記録は、例えば、操作者によるコンテンツの記録の予約や、操作部１４を介した操作者からの記録指示により開始される。予約による記録開始時刻になった場合や、操作者からの記録指示を受け付けた場合、図７に示すように、アプリ制御部１７は、記録アプリを起動する（ステップ（以下、「ＳＴ」という）７１）。なお、ここでは、コンテンツの記録の予約により記録アプリが起動されたものとする。この場合において、アプリ制御部１７は、コンテンツの記録の予約に応じて自動的に記録アプリを起動し、後述するようにコンテンツの記録後、記録アプリを停止する。すなわち、自動的にコンテンツの記録を管理する自動記録管理部として機能する。
【００４３】
記録アプリを起動した後、予約による記録開始時刻になると、放送受信部１２により予約に対応する放送局２からの放送が受信される（ＳＴ７２）。なお、放送受信部１２による当該放送局２からの放送の受信は、例えば、予約による記録が終了するまで継続される。放送受信部１２により受信された放送に含まれるコンテンツは、アプリ制御部１７に渡される。このコンテンツを受け取ると、アプリ制御部１７は、当該コンテンツに付与されたコンテンツＩＤを取得する（ＳＴ７３）。
【００４４】
コンテンツＩＤを取得すると、アプリ制御部１７は、記憶部１３に設けられた記録不良箇所テーブルに当該コンテンツＩＤが記録されているかを判定する（ＳＴ７４）。このように判定するのは、既に記録済みのコンテンツが重複して記録されることを防止すると共に、既に記録済みのコンテンツにおける記録不良箇所を補間するためである。
【００４５】
記録不良箇所テーブルにコンテンツＩＤが記録されていない場合、アプリ制御部１７は、当該コンテンツＩＤを記録不良箇所テーブルに記録すると共に、当該コンテンツＩＤに対応するコンテンツを記憶部１３に記憶する（ＳＴ７５）。この場合において、アプリ制御部１７は、コンテンツを記録する記録部として機能する。一方、記録不良箇所テーブルに当該コンテンツＩＤが記録されている場合には、処理をＳＴ８１に進め、コンテンツの補間処理を行う。なお、このコンテンツの補間処理については後述する。
【００４６】
ＳＴ７５において、コンテンツを記録している間、アプリ制御部１７は、記録不良箇所を検出するか判定している（ＳＴ７６）。このように記録不良箇所の検出を判定するのは、後述するコンテンツの補間処理において補間対象となる部分を特定するためである。ここで、記録不良箇所を検出した場合には、アプリ制御部１７は、まず、不良開始時間を記録不良箇所テーブルに記録し（ＳＴ７７）、続いて不良終了時間を記録不良箇所テーブルに記録する（ＳＴ７８）。これにより、当該コンテンツにおける記録不良箇所が特定されることとなる。
【００４７】
このように不良終了時間を記録した後、或いは、ＳＴ７６において、記録不良箇所を検出しない場合、アプリ制御部１７は、放送に含まれる全てのコンテンツに対してＮ回の記録処理が行われたかを判定する（ＳＴ７９）。この判定には、どのような手法を用いても良い。例えば、記録不良箇所テーブルにおける記録内容（例えば、補間処理要否情報における要否の有無など）に基づいて行うことが考えられる。
【００４８】
放送に含まれる全てのコンテンツに対してＮ回の記録処理が行われていないと判定した場合、アプリ制御部１７は、処理をＳＴ７３に戻す。そして、再び、受信しているコンテンツのコンテンツＩＤを取得し、記録不良箇所テーブルに記録済みであるか否かを判定し、記録済みでない場合には当該コンテンツＩＤに対応するコンテンツを記録すると共に、記録不良箇所を特定する情報を記録し、放送に含まれる全てのコンテンツに対するＮ回の処理が行われたかを判定する（ＳＴ７３〜ＳＴ７９）。
【００４９】
このようにＳＴ７３〜ＳＴ７９の処理を繰り返すうち、ＳＴ７９において、放送に含まれる全てのコンテンツに対してＮ回の記録処理が行われたと判定した場合、アプリ制御部１７は、記録アプリを終了し（ＳＴ８０）、コンテンツの記録処理を終了する。このようにして放送受信装置１におけるコンテンツの一連の記録処理が完了する。
【００５０】
なお、ＳＴ７４において、記録不良箇所テーブルにコンテンツＩＤが記録されている場合には、アプリ制御部１７は、図８に示すように、当該コンテンツに対して補間処理を行う必要があるか判定する（ＳＴ８１）。このようにコンテンツに対する補間処理の必要性を判定するのは、記録不良箇所テーブルにコンテンツＩＤが記録されているにも関わらず、補間処理が必要のないコンテンツ（例えば、図６に示すコンテンツＢなど）を識別するためである。ここで、補間処理が必要ないと判定する場合には、アプリ制御部１７は、処理をＳＴ７９に戻す。
【００５１】
一方、補間処理が必要であると判定した場合には、アプリ制御部１７は、当該コンテンツの開始時間から、記録不良箇所テーブルの記録不良箇所登録情報６２に記録された不良開始時間に到達したかを判定する（ＳＴ８２）。この場合において、アプリ制御部１７は、記憶部１３に記録されたコンテンツの記録不良箇所を判定する判定部として機能する。そして、不良開始時間に到達した場合には、当該コンテンツの記録を開始する（ＳＴ８３）。なお、不良開始時間に到達するまでは、当該判定処理を継続する。
【００５２】
このようにコンテンツを記録した状態で、アプリ制御部１７は、当該コンテンツの開始時間から、記録不良箇所テーブルの記録不良箇所登録情報６２に記録された不良終了時間に到達したかを判定する（ＳＴ８４）。そして、不良終了時間に到達した場合には、当該コンテンツの記録を終了する（ＳＴ８５）。これにより、記憶部１３に記録されているコンテンツにおける記録不良箇所に対応するコンテンツの一部が記憶部１３に記録されることとなる。
【００５３】
このようにコンテンツの一部を記録した後、アプリ制御部１７は、当該コンテンツの一部を用いて、記憶部１３に記録されたコンテンツにおける記録不良箇所を補間する（ＳＴ８６）。この場合において、アプリ制御部１７は、コンテンツにおける記録不良箇所を後続する同一のコンテンツにおける対応部分を用いて補間する補間部として機能する。これにより、ＳＴ８３〜ＳＴ８５の間に記録されたコンテンツの一部で、コンテンツの記録不良箇所がカバーされていない場合を除き、記録不良箇所が発生していないコンテンツが記憶部１３に記録されることとなる。そして、コンテンツの補間を行った後、処理をＳＴ７９に戻す。
【００５４】
例えば、図６に示すコンテンツＡに対する補間処理においては、２回目の放送受信時において、図８に示す補間処理に進み、ＳＴ８１において、補間処理が必要であると判定される。そして、ＳＴ８２〜ＳＴ８５の間に当該コンテンツにおける記録不良箇所の対応部分が記録され、ＳＴ８６において、補間処理が行われる。これにより、記録不良箇所が存在していないコンテンツＡが記憶部１３に記録されることとなる。すなわち、この場合には、２回目のコンテンツＡの受信終了時点で、記録不良箇所が存在していないコンテンツＡが記憶部１３に記録されることとなる。
【００５５】
一方、図６に示すコンテンツＣに対する補間処理においては、２回目の放送受信時において、図８に示す補間処理に進み、ＳＴ８１において、補間処理が必要であると判定される。そして、ＳＴ８２〜ＳＴ８５の間に当該コンテンツにおける記録不良箇所の対応部分が記録され、ＳＴ８６において、補間処理が行われる。しかしながら、この補間処理では、記録不良箇所が残存しているため、再び、ＳＴ７４から図８に示す補間処理に進み、ＳＴ８１において、補間処理が必要であると判定される。上述した場合と同様に、ＳＴ８２〜ＳＴ８５の間に当該コンテンツにおける記録不良箇所の対応部分が記録され、ＳＴ８６において、補間処理が行われる。れにより、記録不良箇所が存在していないコンテンツＣが記憶部１３に記録されることとなる。すなわち、この場合には、３回目のコンテンツＣの受信終了時点で、記録不良箇所が存在していないコンテンツＡが記憶部１３に記録されることとなる。
【００５６】
このように本実施の形態に係る放送受信装置１によれば、繰り返し放送されるコンテンツを記憶部１３に記録する際、アプリ制御部１７により、記憶部１３に記録されたコンテンツの記録不良箇所を判定し、記録不良箇所を後続する同一のコンテンツにおける対応部分を用いて補間することから、記憶部１３に記録されたコンテンツの記録不良箇所が、当該記録不良箇所に対応するコンテンツの一部で補間されるので、放送電波受信不良に起因する記録不良箇所が存在しないコンテンツを記録することが可能となる。
【００５７】
特に、本実施の形態に係る放送受信装置１においては、記録不良箇所の開始時間（不良開始時間）及び終了時間（不良終了時間）を特定して、後続する同一のコンテンツの一部を記録すると共に、当該コンテンツの一部を用いて記憶部１３に記録されたコンテンツに対する補間を行うようにしたので、記憶部１３に記録されたコンテンツの記録不良箇所を確実に補間することが可能となる。
【００５８】
また、本実施の形態に係る放送受信装置１においては、アプリ制御部１７により、記録不良箇所の補間を所定回数（Ｎ回）だけ繰り返し行う。これにより、コンテンツの補間の終了等を判定する特別な処理を必要とすることなく、簡単な制御で記憶部１３に記録されたコンテンツの記録不良箇所を補間することが可能となる。
【００５９】
さらに、本実施の形態に係る放送受信装置１においては、アプリ制御部１７により、記憶部１３に記録されたコンテンツの補間が終了した場合に当該コンテンツの記録処理を停止している。これにより、記憶部１３に記録されたコンテンツの記録不良箇所の補間が終了した時点でコンテンツの記録を停止することができるので、コンテンツの記録が無制限に継続することを防止でき、放送受信装置１における無用な電源の消耗を防止することが可能となる。
【００６０】
特に、本実施の形態に係る放送受信装置１は、携帯電話装置等の携帯端末装置に適用した場合に顕著な効果を得ることができる。すなわち、本実施の形態に係る放送受信装置１を、放送電波の受信状態が使用者の位置に応じて変動する携帯端末装置に適用することにより、放送電波の受信状態が良好でない場合においても、記憶部１３に記録されたコンテンツの記録不良箇所が、当該記録不良箇所に対応するコンテンツの一部で補間されるので、放送電波受信不良に起因する記録不良箇所が存在しないコンテンツを記録することが可能となる。
【００６１】
なお、本発明は上記実施の形態に限定されず、種々変更して実施することが可能である。例えば、上記実施の形態におけるメニュー人気度とページ人気度の算出方法は一例であり、これに限定されず、適宜変更して実施することが可能である。また、本発明の範囲を逸脱しない限りにおいて、処理部や処理手順については適宜変更して実施することが可能である。その他、本発明の範囲を逸脱しないで適宜変更して実施することが可能である。
【００６２】
例えば、上記実施の形態においては、図７に示すように、放送に含まれる全てのコンテンツに対してＮ回の記録処理が行われたかを判定し、その判定結果に応じてコンテンツの記録処理を終了する場合について説明している。しかしながら、コンテンツの記録処理を終了する際の判定材料については、これに限定されるものではなく適宜変更が可能である。例えば、全てのコンテンツに対する補間処理を行う必要がなくなった時点でコンテンツの記録処理を終了するようにしても良い。
【００６３】
この場合には、例えば、記録不良箇所テーブルにおける補間処理要否情報を判定することで実現することが可能である。図６に示す記録不良箇所テーブルにおける記録内容の場合には、３回目のコンテンツの受信終了時点において、コンテンツの記録処理を終了することができる。このように変更した場合には、一定回数だけ放送に含まれるコンテンツを受信する必要がなくなるので、コンテンツの記録処理に要する時間及び電力を低減することが可能となる。
【図面の簡単な説明】
【００６４】
【図１】本発明の一実施の形態に係る放送受信装置が適用される放送システムの構成例を説明するための図である。
【図２】上記実施の形態に係る放送受信装置の構成を説明するためのブロック図である。
【図３】上記実施の形態に係る放送受信装置に対する放送局からの放送に含まれるコンテンツの一例を示す図である。
【図４】上記実施の形態に係る放送局から放送される各コンテンツの構成について説明するための模式図である。
【図５】上記実施の形態に係る放送局から繰り返し放送されるコンテンツの状態を説明するための模式図である。
【図６】上記実施の形態に係る放送受信装置の記憶部で管理される記録不良箇所テーブルの一例を示す図である。
【図７】上記実施の形態に係る放送受信装置におけるコンテンツの記録処理について説明するためのフロー図である。
【図８】上記実施の形態に係る放送受信装置におけるコンテンツの記録処理について説明するためのフロー図である。
【符号の説明】
【００６５】
１  放送受信装置
２  放送局
３  衛星
４  電波塔
１１  制御部
１２  放送受信部
１３  記憶部
１４  操作部
１５  音声出力部
１６  表示部
１７  アプリ制御部
【図１】
2009200898.tif 000003
【図２】
2009200898.tif 000004
【図３】
2009200898.tif 000005
【図４】
2009200898.tif 000006
【図５】
2009200898.tif 000007
【図６】
2009200898.tif 000008
【図７】
2009200898.tif 000009
【図８】
2009200898.tif 000010